【手続補正書】
【提出日】平成23年2月17日(2011.2.17)
【手続補正１】
【補正対象書類名】特許請求の範囲
【補正対象項目名】全文
【補正方法】変更
【補正の内容】
【特許請求の範囲】
【請求項１】
被写体を動画像として撮影する撮像部と、
前記撮像部の撮影により取得された動画像データ中で一定期間に亘って単調な部分を判定する単調判定部と、
前記動画像データ中から前記単調部分に代わることを可能とする補助画像データを判定する補助画像判定部と、
前記動画像データを記憶すると共に、前記単調部分の画像データに関する情報及び前記補助画像データに関する情報を記憶する記憶部と、
表示部と、
前記単調部分に代えて前記補助画像データを前記動画像データに合成し、当該合成した画像を前記表示部に表示する表示制御部と、
を具備することを特徴とする撮像装置。
【請求項２】
前記表示制御部は、前記動画像データ中に前記単調部分の画像データを含むと、この単調部分の画像データ部分を前記動画像データ中から削除し、かつ当該削除した部分に前記補助画像データを挿入して前記合成した画像データを作成する画像合成部を有することを特徴とする請求項１記載の撮像装置。
【請求項３】
前記表示制御部は、前記補助画像データを拡大し、前記動画像データ中の前記単調部分に代えて前記拡大した前記補助画像データを合成することを特徴とする請求項１記載の撮像装置。
【請求項４】
前記表示制御部は、前記補助画像データとして前記被写体の顔部分を拡大し、当該拡大した顔部分の補助画像データを前記単調部分である前記動画像データの背景部分の一部に挿入することを特徴とする請求項３記載の撮像装置。
【請求項５】
撮影により取得された動画像データを再生する画像再生装置において、
前記動画像データ中で一定期間に亘って単調な部分を判定する単調判定部と、
前記動画像データ中から前記単調部分に代わることを可能とする補助画像データを判定する補助画像判定部と、
表示部と、
前記単調部分に代えて前記補助画像データを前記動画像データに合成し、当該合成した動画像データを前記表示部に表示する表示制御部と、
を具備することを特徴とする画像再生装置。
【請求項６】
撮像装置の撮影制御方法において、
撮影により取得された動画像データ中で一定期間に亘って単調な部分を判定し、
前記動画像データの再生時に、前記動画像データ中から前記単調部分に代わることを可能とする補助画像データを判定し、
前記動画像データを記憶すると共に、前記単調部分の画像データに関する情報及び前記補助画像データに関する情報を記憶部に記憶し、
前記単調部分に代えて前記補助画像データを前記動画像データに合成し、当該合成した画像を表示部に表示する、
ことを特徴とする撮像装置の撮影制御方法。
【請求項７】
動画像データを再生する再生装置の画像再生方法において、
前記動画像データ中で一定期間に亘って単調な部分を判定し、
前記動画像データ中から前記単調部分に代わることを可能とする補助画像データを判定し、
前記単調部分に代えて前記補助画像データを前記動画像データに合成させ、当該合成した動画像データを表示部に表示する、
ことを特徴とする再生装置の画像再生方法。
【手続補正２】
【補正対象書類名】明細書
【補正対象項目名】発明の名称
【補正方法】変更
【補正の内容】
【発明の名称】撮像装置、画像再生装置、撮影制御方法及び画像再生方法
【手続補正３】
【補正対象書類名】明細書
【補正対象項目名】０００１
【補正方法】変更
【補正の内容】
【０００１】
本発明は、例えば動きの有る等の変化に富んだ被写体を動画像として撮像する撮像装置、かかる動画像を再生する画像再生装置、さらには撮像装置を制御する撮影制御方法及び画像再生方法に関する。
【手続補正４】
【補正対象書類名】明細書
【補正対象項目名】０００８
【補正方法】変更
【補正の内容】
【０００８】
本発明は、画像に適切な変化を持たせることによって単調にならずに動画の鑑賞を楽しむことを可能とする撮像装置、画像再生装置、さらには撮影制御方法及び画像再生方法を提供することにある。
【手続補正５】
【補正対象書類名】明細書
【補正対象項目名】０００９
【補正方法】変更
【補正の内容】
【０００９】
本発明の主要な局面に係る撮像装置は、被写体を動画像として撮影する撮像部と、撮像部の撮影により取得された動画像データ中で一定期間に亘って単調な部分を判定する単調判定部と、動画像データ中から単調部分に代わることを可能とする補助画像データを判定する補助画像判定部と、動画像データを記憶すると共に、単調部分の画像データに関する情報及び補助画像データに関する情報を記憶する記憶部と、表示部と、単調部分に代えて補助画像データを動画像データに合成し、当該合成した画像を表示部に表示する表示制御部とを具備する。
【手続補正６】
【補正対象書類名】明細書
【補正対象項目名】００１０
【補正方法】変更
【補正の内容】
【００１０】
本発明の主要な局面に係る画像再生装置は、撮影により取得された動画像データを再生するもので、動画像データ中で一定期間に亘って単調な部分を判定する単調判定部と、動画像データ中から単調部分に代わることを可能とする補助画像データを判定する補助画像判定部と、表示部と、単調部分に代えて補助画像データを動画像データに合成し、当該合成した動画像データを表示部に表示する表示制御部とを具備する。
【手続補正７】
【補正対象書類名】明細書
【補正対象項目名】００１１
【補正方法】変更
【補正の内容】
【００１１】
本発明の主要な局面に係る撮像装置の撮影制御方法は、撮影により取得された動画像データ中で一定期間に亘って単調な部分を判定し、動画像データの再生時に、動画像データ中から単調部分に代わることを可能とする補助画像データを判定し、動画像データを記憶すると共に、単調部分の画像データに関する情報及び補助画像データに関する情報を記憶部に記憶し、単調部分に代えて補助画像データを動画像データに合成し、当該合成した画像を表示部に表示する。
【手続補正８】
【補正対象書類名】明細書
【補正対象項目名】００１２
【補正方法】変更
【補正の内容】
【００１２】
本発明の主要な局面に係る再生装置の画像再生方法は、動画像データ中で一定期間に亘って単調な部分を判定し、動画像データ中から単調部分に代わることを可能とする補助画像データを判定し、単調部分に代えて補助画像データを動画像データに合成させ、当該合成した動画像データを表示部に表示する。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明は、画像に適切な変化を持たせることによって単調にならずに動画の鑑賞を楽しむことを可能とする撮像装置、画像再生装置、さらには撮影制御方法及び画像再生方法を提供できる。
【手続補正１３】
【補正対象書類名】明細書
【補正対象項目名】００８７
【補正方法】変更
【補正の内容】
【００８７】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
以下、本発明の他の特徴について説明する。 
第１の発明は、被写体を動画像として撮影する撮像部と、
前記撮像部の撮影により取得された動画像データ中で一定期間に亘って単調な部分を判定する単調判定部と、
前記動画像データ中から前記単調部分に代わることを可能とする補助画像データを判定する補助画像判定部と、
前記動画像データを記憶すると共に、前記単調部分の画像データに関する情報及び前記補助画像データに関する情報を記憶する記憶部と、
を具備することを特徴とする撮像装置である。
第２の発明は、前記補助画像判定部は、前記動画像データ全体から前記被写体の特定部分を前記補助画像データとして判定することを特徴とする第１の発明に記載の撮像装置である。
第３の発明は、前記補助画像判定部は、前記動画像データ全体から所定サイズよりも小さいサイズの前記被写体の特定部分を前記補助画像データとして判定することを特徴とする第１の発明に記載の撮像装置である。
第４の発明は、前記補助画像判定部は、前記被写体の特定部分として人体の顔部分を含む画像データを前記補助画像データとして判定することを特徴とする第２又は３の発明に記載の撮像装置である。
第５の発明は、前記補助画像判定部は、前記動画像データにおけるコントラストの変化から前記被写体の動きを検出してその領域を判定する動き判定部と、前記被写体の顔部分のパターン画像データを予め登録し、この登録パターン画像データと一致する画像データ部分を前記動画像データ中から検索し、当該動画像データ中から被写体における前記顔部分の画像データを前記補助画像データとして検出する顔検出部と、を有することを特徴とする第１の発明に記載の撮像装置である。
第６の発明は、前記単調判定部は、前記動画像データのコントラスト又は色分布に基づいて前記動画像データ中から前記単調部分の画像データを判定することを特徴とする第１の発明に記載の撮像装置である。
第７の発明は、前記単調判定部は、前記動画像データのコントラストが一定期間連続して低い部分を前記単調部分の画像データと判定することを特徴とする第６の発明に記載の撮像装置である。
第８の発明は、前記単調判定部は、前記単調部分の画像データと判定するための前記一定期間を色分布に基づいて切り替えることを特徴とする第６の発明に記載の撮像装置である。
第９の発明は、前記単調判定部は、前記動画像データのコントラスト値が所定のコントラスト値以下になる領域が存在すると判定すると、当該領域を単調シーンであると判定する単調場面判定部を有することを特徴とする第１の発明に記載の撮像装置である。
第１０の発明は、前記単調判定部は、前記動画像データ中から前記被写体の画像データの領域のサイズを検出し、この領域サイズの変化が時間経過と共に所定の変化量以内で変化すると判断すると、当該領域を単調シーンであると判定する単調場面判定部を有することを特徴とする第１の発明に記載の撮像装置である。
第１１の発明は、前記単調判定部は、前記単調場面判定部により前記単調シーンであると判定した場合、当該コントラスト値が所定のコントラスト値以下である領域を単調部分の位置であること判定する単調位置判定部を有することを特徴とする第９の発明に記載の撮像装置である。
第１２の発明は、撮像装置に搭載されているコンピュータに撮影処理を実行させる撮影プログラムにおいて、前記撮像部の撮影により取得された動画像データ中で一定期間に亘って単調な部分を判定させるステップと、前記動画像データの再生時に、前記動画像データ中から前記単調部分に代わることを可能とする補助画像データを判定させるステップと、前記動画像データを記憶すると共に、前記単調部分の画像データに関する情報及び前記補助画像データに関する情報を記憶部に記憶させるステップと、を有することを特徴とする撮影プログラムである。
第１３の発明は、動画像データを再生する再生装置に搭載されているコンピュータに再生処理を実行させる画像再生プログラムにおいて、前記動画像データ中で一定期間に亘って単調な部分を判定させるステップと、前記動画像データ中から前記単調部分に代わることを可能とする補助画像データを判定させるステップと、前記単調部分に代えて前記補助画像データを前記動画像データに合成させ、当該合成した動画像データを表示部に表示させるステップと、を有することを特徴とする画像再生プログラムである。